(57)【要約】【課題】使用者の顔の形状の外観を使用者の所望する形状に近づけることができるマスクを提供する。【解決手段】マスクは、外面の形状を所定形状に保持可能な保形性を有し、内面で使用者の顔Ｆの鼻孔ＮＯから下の範囲の少なくとも一部を覆うためのマスク本体１０と、マスク本体の両側それぞれに連結された一対の耳掛け部２０と、を備え、耳掛け部は、少なくとも、マスク本体との接合部から使用者の耳に当接する位置までの範囲に、使用者の頭部に対するマスク本体の位置を保持可能な保形性を有する。【選択図】図１
2020007691.tif 000002
【特許請求の範囲】
【請求項１】
外面の形状を所定形状に保持可能な保形性を有し、内面で使用者の顔の鼻孔から下の範
囲の少なくとも一部を覆うためのマスク本体と、
前記マスク本体の両側それぞれに連結された一対の耳掛け部と、を備え、
前記耳掛け部は、少なくとも、前記マスク本体との接合部から前記使用者の耳に当接す
る耳当接位置までの範囲に、前記使用者の頭部に対する前記マスク本体の位置を保持可能
な保形性を有する
マスク。
【請求項２】
前記一対の耳掛け部は、前記使用者の頭部を挟持するように構成される
請求項１に記載のマスク。
【請求項３】
前記耳掛け部は、前記マスク本体となす角度を調整する調整部を含む
請求項１または２に記載のマスク。
【請求項４】
前記マスク本体は、前記内面に、使用者の耳以外の部分に当接し、前記耳当接位置とと
もに前記マスク本体を支持する当接部が設けられている
請求項１〜請求項３のいずれか一項に記載のマスク。
【請求項５】
前記当接部は、前記使用者の鼻に当接する鼻当接部を含む
請求項４に記載のマスク。
【請求項６】
前記当接部は、前記使用者の顎に当接する顎当接部を含む
請求項４または５に記載のマスク。
【請求項７】
前記マスク本体に、伸縮性を有する伸縮部が設けられる
請求項１〜請求項６のいずれか一項に記載のマスク。
【請求項８】
前記伸縮部は左右方向の伸縮性を有する第１の伸縮部を含む
請求項７に記載のマスク。
【請求項９】
前記伸縮部は上下方向の伸縮性を有する第２の伸縮部を含む
請求項７または８に記載のマスク。
【請求項１０】
前記耳掛け部の少なくとも一部は、長手方向に伸縮性を有する
請求項１〜請求項９のいずれか一項に記載のマスク。
【請求項１１】
前記マスク本体は、前記外面を構成する第１層と、前記第１層の内側に着脱可能な第２
層と、を含む多層構造である
請求項１〜請求項１０のいずれか一項に記載のマスク。
【請求項１２】
前記第１層は形状を所定形状に保持可能な保形性を有する素材で形成され、
前記第２層は前記第１層よりも柔軟性を有する素材で形成されている
請求項１１に記載のマスク。
【請求項１３】
前記第１層は少なくとも一部に透過部を有する
請求項１１または１２に記載のマスク。
【請求項１４】
前記第１層と前記第２層とが対向する面において、少なくとも一方面が凹凸形状で形成されている
請求項１１〜１３のいずれか一項に記載のマスク。
【請求項１５】
前記マスク本体は、前記内面が覆う顔の形状に対応した形状を有する
請求項１〜請求項１４のいずれか一項に記載のマスク。
【請求項１６】
前記マスク本体の前記外面に、前記内面が覆う顔の部位に対応した画像が施されている
請求項１〜請求項１５のいずれか一項に記載のマスク。
【発明の詳細な説明】
【技術分野】
【０００１】
本開示は、マスクに関する。
【背景技術】
【０００２】
特許文献１には、衛生用マスクに色や飾りをつけることでファッション性を持たせることが提案されている。
【先行技術文献】
【特許文献】
【０００３】
【特許文献１】特開２００６−２６３４０８号公報
【発明の概要】
【０００４】
衛生用マスクの使用者は、ファッション性の一環として、有名人の顔に似せたい、顔の輪郭を小さくしたい、などを要望する場合がある。しかしながら、特許文献１に提案されるマスクは市販の衛生用マスクを利用するものであるため、使用者の顔の形状の外観は使用者の所望する形状にはならない。
【０００５】
ある実施の形態に従うと、マスクは、外面の形状を所定形状に保持可能な保形性を有し、内面で使用者の顔の鼻孔から下の範囲の少なくとも一部を覆うためのマスク本体と、マスク本体の両側それぞれに連結された一対の耳掛け部と、を備え、耳掛け部は、少なくとも、マスク本体との接合部から使用者の耳に当接する耳当接位置までの範囲に、使用者の頭部に対するマスク本体の位置を保持可能な保形性を有する。
更なる詳細は、後述の実施の形態として説明される。
【図面の簡単な説明】
【０００６】
【図１】図１は、実施の形態にかかるマスクの構成の概略を示す斜視図である。
【図２】図２は、第１の例にかかるマスクの概略図である。
【図３】図３は、第１の例にかかるマスクの概略図である。
【図４】図４は、第２の例にかかるマスクの概略図である。
【図５】図５は、内側層の構造の一例を説明するための図である。
【図６】図６は、内側層の構造の一例を説明するための図である。
【図７】図７は、第１の例にかかるマスクの他の例の概略図である。
【図８】図８は、第１層と内側層の構造の一例を説明するための図である。
【図９】図９は、第１層と内側層の構造の一例を説明するための図である。
【発明を実施するための形態】
【０００７】
［１．マスクの概要］
（１）本実施の形態に含まれるマスクは、外面の形状を所定形状に保持可能な保形性を有し、内面で使用者の顔の鼻孔から下の範囲の少なくとも一部を覆うためのマスク本体と、マスク本体の両側それぞれに連結された一対の耳掛け部と、を備え、耳掛け部は、少なくとも、マスク本体との接合部から使用者の耳に当接する耳当接位置までの範囲に、使用者の頭部に対するマスク本体の位置を保持可能な保形性を有する。
【０００８】
本実施の形態に含まれるマスクは、例えば衛生用マスクであって、使用者の顔の鼻孔から下の範囲の少なくとも一部を覆い、眼を覆わない。マスク本体が外面の形状を所定形状に保持可能な保形性を有していることで、マスク本体の外面の形状を使用者の所望する形状とすることができる。それにより、装着した使用者の顔形状の外観を使用者の所望する形状に近づけることができる。マスク本体の外面が所定形状であるため、マスク本体は使用者の頭部の意図した位置とする必要がある。この点、耳掛け部が、少なくとも、マスク本体との接合部から使用者の耳に当接する耳当接位置までの範囲に保形性を有していることによって、使用者の頭部に対するマスク本体の位置を保持することができる。また、耳掛け部が、少なくとも、マスク本体との接合部から耳当接位置までの範囲に保形性を有することで、保形性を有しないゴムや紐を採用する場合と比較して美観を向上させ、ファッション性を増すことができる。
【０００９】
（２）好ましくは、一対の耳掛け部は、前記使用者の頭部を挟持するように構成される。これにより、マスク本体が使用者の頭部に安定して支持されるようになる。
【００１０】
（３）好ましくは、耳掛け部は、マスク本体となす角度を調整する調整部を含む。調整部を有することによって上記角度が使用者に応じた角度に調整される。これにより、マスクが使用者の頭部により安定して支持されるようになる。
【００１１】
（４）好ましくは、マスク本体は、内面に、使用者の耳以外の部分に当接し、耳当接位置とともにマスク本体を支持する当接部が設けられている。これにより、マスク本体が使用者の頭部に安定して支持されるようになる。
【００１２】
（５）好ましくは、当接部は、使用者の鼻に当接する鼻当接部を含む。これにより、マスク本体が使用者の頭部により安定して支持されるようになるとともに、バランスよく使用者の顔面に支持されるようになる。
【００１３】
（６）好ましくは、当接部は、使用者の顎に当接する顎当接部を含む。これにより、マスク本体が使用者の頭部により安定して支持されるようになる。
【００１４】
（７）好ましくは、マスク本体に、伸縮性を有する伸縮部が設けられる。これにより、マスク本体が使用者の顔面の形状に沿いやすくなり、その結果、マスク本体がより安定して支持されるようになる。
【００１５】
（８）好ましくは、伸縮部は左右方向の伸縮性を有する第１の伸縮部を含む。これにより、マスク本体が使用者の頭部により安定して支持されるようになるとともに、第１の伸縮部を使用者の鼻背に沿う位置付近とすることで、使用者の頬を引き締め、鼻梁が高くなるように顔形状を矯正することができる。
【００１６】
（９）好ましくは、伸縮部は上下方向の伸縮性を有する第２の伸縮部を含む。これにより、マスク本体が使用者の頭部により安定して支持されるようになるとともに、使用者がマスクを装着した状態での開閉口運動を容易にすることができる。また、第２の伸縮部をマスク本体の下方とすることで、使用者の顎を引き締め、小顔になるように顔形状を矯正することができる。
【００１７】
（１０）好ましくは、耳掛け部の少なくとも一部は、長手方向に伸縮性を有する。これにより、耳掛け部の長手方向のサイズを使用者の顔のサイズに合わせることができる。その結果、マスク本体の使用者の顔に対する位置がより安定して保持される。
【００１８】
（１１）好ましくは、マスク本体は、外面を構成する第１層と、第１層の内側に着脱可能な第２層と、を含む多層構造である。マスクの内側に第２層が着脱可能に設けられることにより、第２層を容易に交換することができる。これにより、衛生や美観を保つことができる。
【００１９】
（１２）好ましくは、第１層は保形性を有する素材で形成され、第２層は第１層よりも柔軟性を有する素材で形成されている。これにより、マスクを使用者が装着したときに顔面に接する内側が柔軟性を有し、付け心地を向上させることができる。
【００２０】
（１３）好ましくは、第１層は少なくとも一部に透過部を有する。これにより、マスクの外側から内側が透過して見える。そのため、例えば、マスクの使用者が顔面の一部を外側から視認させることができる。なお、透過部が開口を有する構成である場合、マスクの使用者の通気性も確保することができる。
【００２１】
（１４）好ましくは、第１層と第２層とが対向する面において、少なくとも一方面が凹凸形状で形成されている。これにより、マスクの第１層と第２層が密着した状態となったとしても、マスク内において空気の通る道が確保されるため、マスクの使用者の通気性を確保することができる。
【００２２】
（１５）好ましくは、マスク本体は、内周面が覆う顔の形状に対応した形状を有する。
（１６）好ましくは、マスク本体の外面に、内面が覆う顔の部位に対応した画像が施されている。顔の形状に対応した形状、及び／又は、顔の部位に対応した画像は、例えば、有名人等、理想とする顔の形状及び／又は画像、などである。例えば、マスク本体の外面に有名人の顔の画像が施されている場合、好ましくは、マスク本体の外面の形状は、当該有名人の顔の骨格を基に形成されている。これにより、マスクの使用者は、容易に、装着後の自身の顔の外観をマスク本体の形状及び／又は画像とすることができる。また例えば、所望する化粧やペインティングなどの装飾、変形した顔形状などを模したマスク本体を有するマスクを装着することで、使用者は、自身の顔形状の外観を、実際に化粧等を施すことなく、容易に、通常とは異なる所望する顔形状の外観にすることができる。
【００２３】
［２．マスクの例］
＜マスクの説明＞
図１は、本実施の形態にかかるマスク１００の構成の概略を示す斜視図である。図１を参照して、マスク１００は、使用者の顔面Ｆを覆うためのマスク本体１０、及び、マスク本体１０の両側それぞれに連結された一対の耳掛け部２０、からなる。図１は、使用者がマスク１００を装着する様子を示しており、図１において左右方向をＸ方向、上下方向をＺ方向、紙面の前後をＹ方向と各方向を設定する。Ｘ方向はマスク１００を装着した使用者の左右（横）方向、Ｚ方向は使用者の上下（高さ）方向、Ｙ方向は使用者の前後方向と一致する。
【００２４】
ＸＺ平面においてマスク１００のＺ方向に平行な一対の辺をマスク本体１０の両側とする。また、マスク本体１０の、使用者の顔面を覆う側の面を内面１２とし、反対側の面を外面１１とする。
【００２５】
マスク本体１０は、外面１１の形状を所定形状に保持可能な程度の保形性を有する素材で形成されている。所定形状に保持可能な程度の保形性は、応力によって変形した場合であっても、当該応力から解放されると変形前の形状に復帰する程度の保形性を言う。保形性を有する素材は、例えば、合成樹脂、ウレタン樹脂、シリコン樹脂、金属、厚紙、などである。
【００２６】
マスク本体１０の外面１１は、内面１２が覆う使用者の顔Ｆの形状に対応した形状を有する。形状に加えて、又は、形状に替えて、マスク本体１０の外面１１には、内面１２が覆う使用者の顔Ｆの部位に対応した画像が施されていてもよい。さらに、マスク本体１０の外面１１に特定の人（例えば有名人等）の顔の画像が施されている場合、マスク本体１０の外面１１の形状は、当該特定の人の顔の骨格を基に形成されていてもよい。
【００２７】
図１の場合、マスク本体１０は使用者の鼻根ＮＲのやや下方から下顎ＣＨＩ先端までの範囲を覆うことが想定されている。この場合、マスク本体１０の外面１１は、内側が使用者の鼻Ｎに相当する位置４１が立体の鼻形状、使用者の頬ＣＨＥに相当する位置４２が立体の頬形状を有している。また、外面１１の、内側が使用者の鼻根ＮＲに相当する位置４１には鼻画像４３、使用者の唇Ｌに相当する位置４４には唇画像４５がプリントされている。
【００２８】
耳掛け部２０は、メガネのいわゆるテンプルと呼ばれるツル部分と同様の形態であって、マスク本体１０との連結部分２０Ａを一方端とし、他方端に耳当接部２２を備え、ＸＺ平面においてマスク本体１０からＹ方向に増加する向き（＋Ｙ向き）に延出するようにマスク本体１０の両側に取り付けられている。耳当接部２２は、一例として、図示されたように、耳介ＡＵの上方から掛かる形状の、いわゆるモダン又は先セルである。他の例として、耳当接部２２は、ゴムなどの摩擦力を有する部位を有してもよい。これにより、耳当接部２２が耳介ＡＵに安定して当接するようになる。
【００２９】
なお、耳当接部２２の構造は図示された形状に限定されない。すなわち、耳介ＡＵの上方から掛かる形状に限定されず、耳介ＡＵの下方から後方に向けて延び、耳介ＡＵの後方から前方に向かう方向に掛かる形状でもよい。
【００３０】
連結部分２０Ａから耳当接部２２までの間の少なくとも一部は、使用者の頭部に対するマスク本体の位置を保持可能な保形性を有する素材で形成されている。耳掛け部２０を形成する、保形性を有する素材は、合成樹脂、金属、動物の骨格、動物の角、などの剛性素材であってもよいし、上記したマスク本体１０を形成する保形性を有する素材と同じであってもよい。これにより、マスク本体１０の使用者の顔に対する位置が安定して保持される。
【００３１】
一対の耳掛け部２０の間隔は、使用者の頭部の幅よりも小さい。ここでの使用者は、マスク１００の使用が想定される人を言う。使用者の頭部の幅は、マスク１００の使用が想定される人の頭部の幅の平均値、中央値、などである。マスク１００の使用が想定される人は、例えば、所定の年齢層の人、特定の性別の人、特定の地域の人、などである。これにより、マスク１００が使用者に装着されることで、両耳掛け部２０は使用者の顔Ｆを両側からＸ方向に挟持する。これにより、マスク１００が使用者の頭部に対してＸ方向に支持される。
【００３２】
耳掛け部２０の連結部分２０Ａには、耳掛け部２０の長手方向とマスク本体１０とがＸＹ平面においてなす角度αを調整するための調整部２１が設けられている。調整部２１は、例えば、角度調整機能付きのねじなどである。調整部２１によって角度αが、一対の耳掛け部２０の間隔が使用者の頭部の幅より小さくなるように調整可能である。これにより、その状態でマスク１００が使用者に装着されることで、両耳掛け部２０にはＸ方向に内向きの弾性力が生じる。これにより、両耳掛け部２０の耳当接部２２は、使用者の顔Ｆに当接し、それぞれＸ方向の力ｓを作用させる。その結果、両耳掛け部２０によって使用者の顔Ｆが両側からＸ方向に挟持され、マスク１００が使用者の頭部に対してＸ方向に支持
される。
【００３３】
マスク本体１０は、使用者の顔Ｆの鼻孔ＮＯから下の範囲の少なくとも一部を覆う。一例として、マスク本体１０は、使用者の鼻根ＮＲのやや下方から下顎ＣＨＩ先端と下唇ＬＬとの間（オトガイ唇溝ＭＳ）までの範囲を覆うもの（第１の例）、及び、鼻孔ＮＯのすぐ下から下顎ＣＨＩまでの範囲を覆うもの（第２の例）、が挙げられる。
【００３４】
図２及び図３は、第１の例にかかるマスク１００の概略図であって、図２はマスク１００を装着した使用者を横から見た図であって、ＹＺ平面を−Ｘ向きに見た概略図である。図３はマスク１００を装着した使用者を上から見た図であって、図２のＡ−Ａ概略断面図である。
【００３５】
図２及び図３を参照して、第１の例にかかるマスク１００では、マスク本体１０Ａは、使用者の鼻根ＮＲやや下位置からオトガイ唇溝ＭＳまでの範囲を覆う。マスク本体１０Ａの、使用者の鼻Ｎに相当する位置４１が立体の鼻形状、頬ＣＨＥに相当する位置４２が立体の頬形状、及び、唇Ｌに相当する位置４４が立体の唇形状を有している。マスク本体１０Ａの形状は、使用者の顔形状と一致していなくてもよい。使用者の顔形状と一致していない場合、使用者がマスク１００を装着すると、図２のように、マスク本体１０Ａ全体は使用者の顔Ｆに密着しないことがある。
【００３６】
マスク本体１０Ａの上辺の中央付近であって、使用者の鼻根ＮＲに当接することが想定されている位置４７には、鼻パッドなどである鼻当接部１６が配置される（図３）。鼻当接部１６はシリコン等の樹脂や布などの柔らかい素材で形成され、使用者の鼻根ＮＲに密着する。これにより、マスク１００が使用者に対して少なくともＹ方向に支持される。なお、図３において鼻当接部１６に施されたハッチングは、鼻当接部１６の材質がマスク本体１０Ａの材質と異なっていることを示している。
【００３７】
第１の例にかかるマスク１００は、マスク本体１０に設けられた鼻当接部１６と、耳掛け部２０の耳当接部２２との、少なくとも２点が使用者の顔Ｆに当接する。これにより、マスク１００は、耳介ＡＵの上方の点Ｐと鼻根ＮＲの点Ｑとの２点で使用者の頭部に支持される。このとき、点Ｐには、上記のＸ方向の力ｓに加えて、耳掛け部２０の延長方向（長手方向）にマスク本体１０Ａに向かう向きの力ｐが作用する。また、点Ｑには、概ね＋Ｙ向きの力ｑが作用する。マスク１００は、点Ｐ，Ｑそれぞれに作用する力ｓ，ｐ及び力ｑによって、使用者の頭部に支持される。
【００３８】
好ましくは、マスク本体１０Ａには、第１の方向Ｄ１に伸縮する第１の伸縮部１５が設けられている。第１の方向Ｄ１は横方向（Ｘ方向）と一致、又は、概ね一致する方向である。第１の伸縮部１５は、例えば、ゴム素材で形成されたＺ方向に延長する領域である。これにより、マスク本体１０Ａに対して両側からＹ方向に作用する耳掛け部２０による引っ張り力によってマスク本体１０ＡがＸ方向に、使用者の顔Ｆの形状に沿って伸び、使用者の頭部により安定して支持される。なお、図１及び図３において第１の伸縮部１５に施されたハッチングは、第１の伸縮部１５の材質がマスク本体１０の材質と異なっていることを示している。
【００３９】
より好ましくは、第１の伸縮部１５は、図１,３に示されたように、使用者の鼻背ＮＤに沿う位置付近に設けられる。この場合、耳掛け部２０による引っ張り力の方が第１の伸縮部１５の引っ張り力より小さいときには、第１の伸縮部１５は概ね左右均等に使用者の顔Ｆの形状に沿って伸び、マスク本体１０Ａの形状を崩すことなくバランスよく使用者の頭部に支持される。第１の伸縮部１５の、耳掛け部２０による引っ張り力の方が第１の伸縮部１５の引っ張り力より大きいときには、図３に示された、外側（耳に近い側）から中央（鼻）に向かう力ｕが装着した使用者の顔Ｆに作用する。これにより、使用者の頬を引き締め、鼻梁が高くなるように顔形状を矯正する効果が得られる。
【００４０】
なお、第１の例にかかるマスク本体１０Ａは、使用者の鼻根ＮＲやや下位置からオトガイ唇溝ＭＳまでの範囲のうちの少なくとも一部を覆うものであってもよい。図７は、第１の例にかかるマスク１００の変形例を示す概略図である。図７に示された変形例にかかるマスク本体１０Ａは、使用者の鼻根ＮＲやや下位置からオトガイ唇溝ＭＳまでの範囲のうちの鼻Ｎの周辺部に設けられた開口部１８を有する。このため、マスク本体１０Ａは、使用者の鼻根ＮＲやや下位置からオトガイ唇溝ＭＳまでの範囲のうちの鼻Ｎの周辺部以外の部分を覆うものである。
【００４１】
図４は、第２の例にかかるマスク１００の概略図である。図４は、マスク１００を装着した使用者を横から見た図であって、ＹＺ平面を−Ｘ向きに見た概略図である。図４を参照して、第２の例にかかるマスク１００では、マスク本体１０Ｂは、使用者の鼻孔ＮＯのすぐ下から下顎ＣＨＩまでの範囲を覆う。マスク本体１０Ｂの、使用者の唇Ｌに相当する位置４４が立体の唇形状、及び、下顎ＣＨＩに相当する位置４６が立体の顎形状を有している。
【００４２】
マスク本体１０Ｂの下辺の中央付近であって、使用者の下顎ＣＨＩに相当する位置４６には、顎パッドなどである顎当接部１７が配置される。顎当接部１７はシリコン等の樹脂や布などの柔らかい素材で形成され、使用者の下顎ＣＨＩに密着する。なお、図４において顎当接部１７に施されたハッチングは、顎当接部１７の材質がマスク本体１０Ｂの材質と異なっていることを示している。
【００４３】
第２の例にかかるマスク１００は、マスク本体１０Ｂに設けられた顎当接部１７と、耳掛け部２０の耳当接部２２との、少なくとも２点が使用者の顔Ｆに当接する。これにより、マスク１００は、耳介ＡＵの上方の点Ｐと下顎ＣＨＩの点Ｒとの２点で使用者の頭部に支持される。このとき、点Ｐには、上記のＸ方向の力ｓに加えて、耳掛け部２０の延長方向（長手方向）にマスク本体１０Ａに向かう向きの力ｐが作用する。また、点Ｒには、点Ｐへ向かう力ｒが作用する。マスク１００は、点Ｐ，Ｒそれぞれに作用する力ｓ，ｐ及び力ｒによって、使用者の頭部に支持される。
【００４４】
好ましくは、マスク本体１０Ｂには、第２の方向Ｄ２に伸縮する第２の伸縮部１４が設けられている。第２の方向Ｄ２は縦方向（Ｚ方向）と一致、又は、概ね一致する方向である。第２の伸縮部１４は、例えば、ゴム素材で形成されたＸ方向に延長する領域である。第２の伸縮部１４が設けられることにより、耳掛け部２０による引っ張り力によってマスク本体１０ＢがＺ方向に、使用者の顔Ｆの形状に沿って伸び、使用者の頭部に支持されやすくなる。また、マスク１００を装着した状態で開閉口運動が容易になる。なお、図１及び図４において第２の伸縮部１４に施されたハッチングは、第２の伸縮部１４の材質がマスク本体１０Ｂの材質と異なっていることを示している。
【００４５】
マスク本体１０Ｂに、マスク本体１０Ａと同様の、横方向（Ｘ方向）に伸縮する第１の伸縮部１５が設けられてもよい。好ましくは、第１の伸縮部１５はマスク本体１０Ｂの下方に設けられる。この場合、下顎ＣＨＩから耳介ＡＵに向かうＸ方向の力が装着した使用者の顔Ｆに作用する、これにより、使用者の下顎ＣＨＩを引き締め、小顔になるように顔形状を矯正する効果が得られる。
【００４６】
さらに、図１に示されるように、耳掛け部２０に、第３の方向Ｄ３に伸縮する伸縮部２３が設けられていてもよい。第３の方向Ｄ３は長手方向（Ｙ方向）と一致、又は、概ね一致する方向である。これにより、耳当接部２２からマスク本体１０までの長さが使用者に応じて可変となる。その結果、マスク本体１０の使用者の顔Ｆへの密着度が増し、使用者の頭部に確実に支持されるようになる。なお、図１において伸縮部２３に施されたハッチングは、伸縮部２３の材質が耳掛け部２０の材質と異なっていることを示している。
【００４７】
好ましくは、いずれの例においても、マスク本体１０の内面１２側に少なくとも１枚の内側層３０を有する。言い換えると、マスク本体１０は、第２層である内側層３０と、内側層３０と重なる範囲である第１層１０ａとを含む多層構造（この例では２層構造）である。第１層１０ａの外側は外面１１を構成し、内側は内面１２を構成する。
【００４８】
第２層である内側層３０は、第１層１０ａを形成する素材よりも柔軟性の高い素材で形成されている。第１層１０ａを形成する素材よりも柔軟性の高い素材は、例えば、ガーゼ等の織布、不織布、である。これにより、マスク１００を使用者が装着したときに顔Ｆに接する内面側が柔軟性を有し、付け心地を向上させることができる。なお、第２層である内側層３０は、花粉粒子(粒子径３μm)や生体に有害な微小粒子(粒子径０．１μm〜５μm)（ウイルスを含む飛沫物）を通さなく、空気を通す孔(粒子径０．１μmの物質を遮断するサイズ)が複数個（図示せず）を有しているので、マスク１００を装着した際に、使用者の呼吸の妨げにはならない。
【００４９】
内側層３０は、第１層１０ａの内側（内面１２）に着脱可能である。図５及び図６は、内側層３０の構造を説明するための図である。図８及び図９は、第１層１０ａと第２層である内側層３０の構造を説明するための図である。図を参照して、マスク本体１０の内側層３０と重なる範囲が第１層１０ａであり、内面１２には、内側層３０を着脱可能に保持するための装着部１２ａが設けられている。装着部１２ａは、例えば、面ファスナー、粘着テープ、フック、クリップ、である。これにより、マスク本体１０に対して内側層３０を着脱可能とすることができる。マスク本体１０に内側層３０が着脱可能なことにより、内側層３０を容易に交換することができ、衛生や美観を保つことができる。なお、図５及び図６において装着部１２ａに施されたハッチングは、装着部１２ａの材質が第１層１０ａ及び内側層３０と異なることを表している。
【００５０】
好ましくは、装着部１２ａは、マスク１００を使用者が装着したときに、内側層３０が使用者の唇Ｌ及び／又は鼻孔ＮＯに相当する位置に着脱可能なように設けられる。これにより、内側層３０にフィルタ効果を持たせることができ、マスク１００の、防塵や風邪等感染症予防などの効果を期待できる。この場合、内側層３０には香料が浸透可能であってもよいし、消毒剤などの薬剤が浸透可能であってもよい。
【００５１】
好ましくは、マスク本体１０の外面１１には、透過部１３を有する。図１の例では、透過部１３は、マスク本体１０の、使用者の頬を覆うことが想定されている位置に配置されている。なお、図１において透過部１３に施されたハッチングは、マスク本体１０と材質が異なることを表している。
【００５２】
図５及び図６は、それぞれ、透過部１３の構成の一例も示している。透過部１３は、一例として、開口１３ａを有する（図５）。また、他の例として、透過部１３は、透過性を有する素材で形成された領域１３ｂからなる（図６）。これにより、外側からマスク本体１０の内側が透過して見える。そのため、例えば、マスク１００の使用者が顔Ｆの一部を外側から視認させることができる。なお、透過部１３が開口１３ａを有する場合（図５）、マスク１００の使用者の通気性も確保することができる。
【００５３】
マスク本体１０の内側に内側層３０が装着され、内側層３０と重畳する位置に透過部１３が配置されている場合、図５及び図６に示されたように、マスク本体１０の外側から透過部１３を介して内側層３０が視認される。そのため、この場合、好ましくは、内側層３０の少なくともマスク本体１０側の表面には、色彩、模様などの装飾が施されている。それによって、マスク本体１０の外側から内側層３０の表面に施された装飾が視認されるとともに、内側層３０の交換によってマスク本体１０の外側から視認される装飾を容易に変化させることができる。
【００５４】
図８は、第２層である内側層３０の外面３１が凹凸形状で形成されている構成の一例を示している。図９は、第１層１０ａの内面１２と第２層である内側層３０の外面３１が凹凸形状で形成されている構成の一例を示している。図８に示すように、第１層１０ａと第２層である内側層３０とが対向する面において、第２層である内側層３０の外面３１が凹凸形状で形成されている。これにより、第１層１０ａの内面１２と第２層である内側層３０の外面３１が密着した状態となったとしても、マスク本体１０内において空気の通る道が確保されるため、マスク本体１０の使用者の通気性を確保することができる。例えば、第１層１０ａと第２層である内側層３０を形成する素材が柔軟性の高い素材である場合、第１層１０ａの内面１２と第２層である内側層３０の外面３１はとても密着しやすいため、密着すると透過部１３からの空気の通る道を確保できなくなり、空気の通気性が悪くなってしまう。しかし、第２層である内側層３０の外面３１が凹凸形状で形成されていると、第１層１０ａの内面１２と第２層である内側層３０の外面３１の凸部が密着したとしても、外面３１の凹部は密着していないため、空気の通る道を確保することができる。前述したとおり第２層である内側層３０は、花粉(粒子径３μm)や生体に有害な微小粒子(粒子径０．１μm〜５μm)（ウイルスを含む飛沫物）を通さなく、空気を通す孔(粒子径０．１μmの物質を遮断するサイズ)が複数個（図示せず）を有しているので、空気の通気性が良く、使用者は呼吸がしやすくなる。
図９に示すように、第１層１０ａと第２層である内側層３０とが対向する面において、第１層１０ａの内面１２と第２層である内側層３０の外面３１が凹凸形状で形成されている。これにより、第１層１０ａの内面１２と第２層である内側層３０の外面３１が密着した状態となったとしても、マスク本体１０内において透過部１３からの空気の通る道が確保されるため、マスク本体１０の使用者の通気性を確保することができる。具体的には、第１層１０ａの内面１２の凸部と第２層である内側層３０の外面３１の凸部が密着したとしても、第１層１０ａの内面１２の凹部と第２層である内側層３０の外面３１の凹部は密着していないため、空気の通る道を確保することができる。このように、第１層１０ａの内面１２と第２層である内側層３０の外面３１の少なくとも一方が凹凸形状で形成されることにより、内面１２と外面３１とが密着した状態になったとしても、空気の通る道が確保されるため、マスク本体１０の使用者の通気性を確保することができる。前述したとおり第２層である内側層３０は、花粉(粒子径３μm)や生体に有害な微小粒子(粒子径０．１μm〜５μm)（ウイルスを含む飛沫物）を通さなく、空気を通す孔(粒子径０．１μmの物質を遮断するサイズ)が複数個（図示せず）を有しているので、空気の通気性が良く、使用者は呼吸がしやすくなる。
【００５５】
＜マスクの効果＞
マスク１００を上記の構成とすることによって、マスク１００の使用者は、衛生用マスクを着用しながら、容易に、装着後の自身の顔の形状をマスク本体１０の外面１１に施された形状とすることができる。例えば、有名人等、理想とする顔の形状を施したマスク本体１０を有するマスク１００を装着することで、使用者は、通常の衛生用マスクを着用する場合と同じ感覚で、自身の顔形状の外観を容易に理想とする顔形状の外観にすることができる。また例えば、所望する化粧やペインティングなどの装飾、変形した顔形状などを模したマスク本体１０を有するマスク１００を装着することで、使用者は、自身の顔形状の外観を、実際に化粧等を施すことなく、容易に、通常とは異なる所望する顔形状の外観にすることができる。
【００５６】
マスク１００は保形性を有する耳掛け部２０を有するため、使用者の頭部に対するマスク本体１０の位置関係を特定し、支持しやすくなる。装着時にマスク本体１０の位置を使用者の頭部に対して特定の位置とできることによって、マスク本体１０の有する形状を使用者の顔Ｆに対して適切な位置に保持できる。
【００５７】
なお、マスク１００が保形性を有する耳掛け部２０を有することで、ゴムや紐などの保形性を有しない、伸縮性を利用した耳掛け部を有する場合よりも美観を向上させ、ファッション性を増すことができる。
【００５８】
また、マスク本体１０に伸縮部１４，１５が設けられること、及び／又は、耳掛け部２０に伸縮部２３が設けられることによって、マスク本体１０を使用者の顔Ｆに密着させることができ、その結果、マスク本体１０の有する形状を使用者の顔Ｆに対して適切な位置により安定して保持しやすくさせる。
【００５９】
また、伸縮部１４，１５の設けられる位置、及び／又は、弾性力によって、鼻梁を高くしたり、顎のラインを引き上げたりする、顔形状が矯正される効果も期待できる。
【００６０】
なお、マスク本体１０は、衛生用マスクと同様に使用者の目を覆わず、鼻孔から下の範囲の少なくとも一部を覆うものであればよいため、特定のサイズ、装着位置に限定されない。上の説明では、一例として、使用者の鼻根のやや下方から下顎ＣＨＩ先端と下唇ＬＬとの間（オトガイ唇溝ＭＳ）までの範囲を覆うマスク本体１０Ａ、及び、鼻孔ＮＯのすぐ下から下顎ＣＨＩまでの範囲を覆うマスク本体１０Ｂが例示されている。これにより、衛生用マスクと同様の気軽さで使用しながら、使用者の顔面の鼻孔ＮＯから下の範囲を含む領域であって所望する領域の外観を、マスク本体１０の有する形状とすることができる。
【００６１】
本発明は、上記の実施の形態に限定されるものではなく、様々な変形が可能である。
【符号の説明】
【００６２】
１０    ：マスク本体
１０Ａ  ：マスク本体
１０Ｂ  ：マスク本体
１０ａ  ：第１層
１１    ：外面
１２    ：内面
１２ａ  ：装着部
１３    ：透過部
１３ａ  ：開口
１３ｂ  ：領域
１４    ：第２の伸縮部
１５    ：第１の伸縮部
１６    ：鼻当接部
１７    ：顎当接部
１８    ：開口部
２０    ：耳掛け部
２０Ａ  ：連結部分
２１    ：調整部
２２    ：耳当接部
２３    ：伸縮部
３０    ：内側層（第２層）
３１    ：外面
４１    ：位置
４２    ：位置
４３    ：鼻画像
４４    ：位置
４５    ：唇画像
４６    ：位置
４７    ：位置
１００  ：マスク
ＡＵ    ：耳介
ＣＨＥ  ：頬
ＣＨＩ  ：下顎
Ｄ１    ：第１の方向
Ｄ２    ：第２の方向
Ｄ３    ：第３の方向
Ｆ      ：使用者の顔
Ｌ      ：唇
ＬＬ    ：下唇
ＭＳ    ：オトガイ唇溝
Ｎ      ：鼻背
ＮＯ    ：鼻孔
ＮＲ    ：鼻根
ｐ      ：力
ｑ      ：力
ｒ      ：力
ｓ      ：力
ｕ      ：力
α      ：角度
【図１】
2020007691.tif 000003
【図２】
2020007691.tif 000004
【図３】
2020007691.tif 000005
【図４】
2020007691.tif 000006
【図５】
2020007691.tif 000007
【図６】
2020007691.tif 000008
【図７】
2020007691.tif 000009
【図８】
2020007691.tif 000010
【図９】
2020007691.tif 000011